(57)【要約】【課題】設置面との隙間が生じることを防いで隙間から異物が入り込むことを防止することができる昇降装置の脚部のカバー構造を提供する。【解決手段】設置面１に自立する脚本体部４と、この脚本体部４の周囲を覆うカバー本体部１１とから脚部３が構成され、カバー本体部１１の周縁１３にカバー部材２０が取り付けられている。カバー部材２０は、周縁１３に取り付けられる取付部２１と、脚本体部４の基脚部６の下端面よりも下方に向けて長く形成されたことで設置面１と接触して弾性変形する変形部２９とが備えられている。【選択図】図１
2018088947.tif 000002
【特許請求の範囲】
【請求項１】
昇降装置の脚部に設けられた昇降装置の脚部のカバー構造において、
前記脚部が、設置面に自立する脚本体部と、この脚本体部の周囲を覆うカバー本体部とから構成され、
前記カバー本体部の周縁に、前記脚本体部の下面よりも下方に向けて長く形成されたことで設置面と接触して弾性変形する変形部が備えられた、
ことを特徴とする昇降装置の脚部のカバー構造。
【請求項２】
前記カバー本体部の周縁に取り付けられる取付部と前記変形部とから構成されたカバー部材が備えられた、
ことを特徴とする請求項１に記載された昇降装置の脚部のカバー構造。
【請求項３】
前記変形部が、下方に向かうにしたがって内側に向けて傾斜または湾曲している、
ことを特徴とする請求項１または請求項２に記載された昇降装置の脚部のカバー構造。
【請求項４】
前記変形部の厚みが、下方に向かうにしたがって薄く形成された、
ことを特徴とする請求項１から請求項３のいずれか１項に記載された昇降装置の脚部のカバー構造。
【請求項５】
設置面に対する前記昇降装置の角度を変化させるアジャスタ構造が、前記脚本体部に備えられた、
ことを特徴とする請求項１から請求項４のいずれか１項に記載された昇降装置の脚部のカバー構造。
【請求項６】
前記変形部に通線孔が形成された、
ことを特徴とする請求項１から請求項５のいずれか１項に記載された昇降装置の脚部のカバー構造。
【請求項７】
昇降装置の脚本体部の周囲を覆うカバー本体部の周縁に取り付けられ、設置面に自立する前記脚本体部の下面よりも下方に向けて長く形成されたことで設置面と接触して弾性変形する、
ことを特徴とする昇降装置の脚部のカバー部材。
【発明の詳細な説明】
【技術分野】
【０００１】
本発明は、椅子などの被昇降部材を昇降させる昇降装置の脚部のカバー構造および昇降装置の脚部のカバー部材に関するものである。
【背景技術】
【０００２】
従来、例えば、理美容施設において整髪や美容施術が施術される際、または、歯科医療施設において検診や手術が行われる際に、被施術者が座る椅子やその他の機器は、床に固定されずに設置場所を自在に移動させることができるものがある。このようなものとして、例えば、下記特許文献１に記載された理美容椅子がある。この理美容椅子は、座部や背もたれ部などが備えられた椅子本体と、この椅子本体を支持する基台部とから構成されている。基台部は、椅子本体を昇降させる昇降部が内蔵されている。
【０００３】
基台部は、床との直接の接触を避けるために、床と接触する箇所である下端の周縁に、例えば樹脂製のカバーが取り付けられている。
【先行技術文献】
【特許文献】
【０００４】
【特許文献１】特開２０１６−１６２１９号公報
【発明の概要】
【発明が解決しようとする課題】
【０００５】
しかし、床に起伏がある場合、床とカバーとの間に隙間が生じ、この隙間から毛髪や埃などの異物が基台部の内側に入り込む場合がある。
【０００６】
本発明は、上記の実情に鑑みて提案されたものである。すなわち、設置面との隙間が生じることを防いで隙間から異物が入り込むことを防止することができる昇降装置の脚部のカバー構造および昇降装置の脚部のカバー部材の提供を目的とする。
【課題を解決するための手段】
【０００７】
上記目的を達成するために、本発明に係る昇降装置の脚部のカバー構造は、昇降装置の脚部に設けられた昇降装置の脚部のカバー構造において、前記脚部が、設置面に自立する脚本体部と、この脚本体部の周囲を覆うカバー本体部とから構成され、前記カバー本体部の周縁に、前記脚本体部の下面よりも下方に向けて長く形成されたことで設置面と接触して弾性変形する変形部が備えられた、ことを特徴とする。
【０００８】
本発明に係る昇降装置の脚部のカバー構造は、前記カバー本体部の周縁に取り付けられる取付部と前記変形部とから構成されたカバー部材が備えられた、ことを特徴とする。
【０００９】
本発明に係る昇降装置の脚部のカバー構造は、前記変形部が、下方に向かうにしたがって内側に向けて傾斜または湾曲している、ことを特徴とする。
【００１０】
本発明に係る昇降装置の脚部のカバー構造は、前記変形部の厚みが、下方に向かうにしたがって薄く形成され、ことを特徴とする。
【００１１】
本発明に係る昇降装置の脚部のカバー構造は、設置面に対する前記昇降装置の角度を変化させるアジャスタ構造が、前記脚本体部に備えられた、ことを特徴とする。
【００１２】
本発明に係る昇降装置の脚部のカバー構造は、前記変形部に通線孔が形成された、ことを特徴とする。
【００１３】
本発明に係る昇降装置の脚部のカバー部材は、昇降装置の脚本体部の周囲を覆うカバー本体部の周縁に取り付けられ、設置面に自立する前記脚本体部の下面よりも下方に向けて長く形成されたことで設置面と接触して弾性変形する、ことを特徴とする。
【発明の効果】
【００１４】
本発明に係る昇降装置の脚部のカバー構造は、上記した構成である。すなわち、変形部が脚本体部の下面よりも下方に向けて長く形成されているため、脚本体部が設置面に自立する際、脚本体部が設置面に接触する前に、変形部が設置面に接触して弾性変形し、脚本体部が設置面に接触すると、カバー本体部と設置面との間で変形部が撓んだ状態となる。そのため、変形部によって設置面との隙間が適切に埋められる。したがって、設置面との隙間が生じることを防いで隙間から異物が入り込むことを防止することができる。
【００１５】
本発明に係る昇降装置の脚部のカバー構造は、カバー本体部の周縁に取り付けられる取付部と変形部とから構成されたカバー部材が備えられている。すなわち、カバー部材は、取付部がカバー本体部の周縁に取り付けられ、着脱自在である。この構成により、カバー部材のみをカバー本体部から独立させて製造することができ、また、容易に交換することができる。
【００１６】
本発明に係る昇降装置の脚部のカバー構造は、変形部が、下方に向かうにしたがって内側に向けて傾斜または湾曲している。この構成により、変形部を外側から視した場合に、変形部の下方側が視認し辛く、変形部が薄く扁平に見える。したがって、外観において変形部を目立たなくすることができ、優れた意匠を実現することができる。
【００１７】
本発明に係る昇降装置の脚部のカバー構造は、変形部の厚みが、下方に向かうにしたがって薄く形成されている。この構成によれば、変形部と設置面との接触面積が小さいため、長期間の経過による設置面と変形部との圧着が最小限に抑えられる。したがって、圧着されることによる設置面への影響を抑止することができる。
【００１８】
なお、従来、昇降装置が床に載置された状態で長期間が経過すると、床に脚部のカバーが圧着され、組成変化した樹脂や色素が床に沈着する場合や、昇降装置を移動させる際に、床の一部がカバーに接着されたまま床から剥離される場合があった。
【００１９】
本発明に係る昇降装置の脚部のカバー構造は、設置面に対する昇降装置の角度を変化させるアジャスタ構造が、脚本体部に備えられている。すなわち、設置面に起伏がある場合であっても、アジャスタ構造を作動させることで昇降装置の角度が変化する。したがって、設置面に対して垂直に昇降する向きに、昇降装置の角度を調整することができる。なお、仮に設置面が傾斜している場合は、水平面に対して垂直に昇降する向きに昇降装置の角度が調整される。
【００２０】
なお、従来、アジャスタ構造が備えられていなかったため、床の起伏によって昇降装置が床に対して傾いた状態で載置される場合や、ガタつく場合があった。
【００２１】
本発明に係る昇降装置の脚部のカバー構造は、変形部に通線孔が形成されている。この構成により、例えば昇降装置の電源コードなどが通線孔を介して通される。したがって、整線することができる。
【００２２】
本発明に係る昇降装置の脚部のカバー部材は、昇降装置の脚本体部の周囲を覆うカバー本体部の周縁に取り付けられ、設置面に自立する脚本体部の下面よりも下方に向けて長く形成されたことで設置面と接触して弾性変形する。すなわち、変形部が脚本体部の下面よりも下方に向けて長く形成されているため、脚本体部が設置面に自立する際、脚本体部が設置面に接触する前に、変形部が設置面に接触して弾性変形し、脚本体部が設置面に接触すると、カバー本体部と設置面との間で変形部が撓んだ状態となる。したがって、設置面との隙間が生じることを防いで隙間から異物が入り込むことを防止することができる。
【図面の簡単な説明】
【００２３】
【図１】本発明の実施形態に係る昇降装置の脚部のカバー構造が示された側面断面図である。
【図２】本発明の実施形態に係る昇降装置の脚部のカバー部材が示され、（ａ）が上方から視した平面図、（ｂ）が側方から視した側面図、（ｃ）が正面から視した正面Ａ−Ａ断面図および正面断面における要部拡大図である。
【発明を実施するための形態】
【００２４】
以下に、本発明の実施形態に係る昇降装置の脚部のカバー構造を図面に基づいて説明する。図１は、昇降装置２の脚部３において、本実施形態に係る昇降装置の脚部のカバー構造１０（以下、昇降装置の脚部のカバー構造を「カバー構造」と記す。）および昇降装置の脚部のカバー部材２０（以下、昇降装置の脚部のカバー部材を「カバー部材」と記す。）の断面が示されている。なお、図１において、設置面１に対して垂直方向を上方および下方とし、設置面１に対して平行な方向を側方とする。
【００２５】
昇降装置２の脚部３は、例えば、理美容椅子（図示省略）や歯科治療用の椅子（図示省略）などの脚に用いられるものであり、昇降装置２によって椅子が昇降する。図１に示されているとおり、カバー構造１０において、脚部３は、設置面１に自立する脚本体部４と、この脚本体部４の周囲を覆うカバー本体部１１とから構成されている。
【００２６】
脚本体部４は、フレーム部材５の下面に取り付けられた複数の基脚部６と、この基脚部６の高さを調整することで設置面１に対する昇降装置２の角度を変化させるアジャスタ構造（図示省略）とが備えられている。基脚部６は、例えばゴムなどの弾性樹脂で成形されている。また、フレーム部材５は、モーターポンプ（図示省略）や、油圧式または空圧式のシリンダー８などが上面に取り付けられている。
【００２７】
カバー本体部１１は、円環状の周面部１２と、この周面部１２の上端と連接されて中心に向かうにしたがって徐々に上方に傾斜した斜面部１４とから構成されている。斜面部１４は、内側にモーターポンプやシリンダー８などが配置され、中心が開口されてシリンダー８が通されている。周面部１２の下端は、円環状の周縁１３であり、この周縁１３にカバー部材２０が取り付けられている。カバー部材２０は、周縁１３に取り付けられる取付部２１と、脚本体部４の基脚部６の下端面よりも下方に向けて長く形成されたことで設置面１と接触して弾性変形する変形部２９とから構成されている。
【００２８】
ここで、カバー部材２０を図面に基づいて説明する。図２は、本実施形態に係るカバー部材２０の外観および断面が示されている。
【００２９】
図２に示されているとおり、カバー部材２０は環状であり、例えばゴムなどの弾性樹脂で成形されている。断面から視して、カバー部材２０の取付部２１は、互いに対面する一対の取付片２２から構成されている。具体的には、取付片２２は、カバー本体部１１の周面部１２に対してカバー本体部１１の外側に配置される外側取付片２３と、周面部１２に対してカバー本体部１１の内側に配置される内側取付片２４とから構成され、各取付片２３，２４の間に溝部２５が形成されている。外側取付片２３は、上端が、内側取付片２４よりも長く形成されると共に、内側取付片２４側に向けて湾曲した外側上端片２６が形成されている。各取付片２３，２４における溝部２５側は、それぞれ切込み２７が形成され、互いに対面する一対の係止片２８が形成されている。取付部２１は下側に変形部２９が連接されている。
【００３０】
変形部２９は、内側取付片２４に沿って下方に伸び、下方に向かうにしたがって周面部１２の内側に向けて徐々に傾斜または湾曲している。また、変形部２９は、下方に向かうにしたがって厚みが徐々に薄く形成されている。変形部２９と外側取付片２３との連接箇所は、周面部１２の外側に向けて突出した段部３０が形成されている。変形部２９は、単一の通線孔３１が形成されている。
【００３１】
上記のとおり構成されたカバー部材２０が、カバー本体部１１に取り付けられる際、図１および図２に示されているとおり、溝部２５に周縁１３が差し込まれ、係止片２８が周縁１３に密着すると共に各取付片２３，２４によって周縁１３が挟持される。外側上端片２６は周面部１２の外面に密着する。
【００３２】
次に、本実施形態の効果を、作用と共に説明する。
【００３３】
上記したとおり、本実施形態によれば、カバー本体部１１の周縁１３にカバー部材２０が取り付けられ、このカバー部材２０に形成された変形部２９が、脚本体部４の基脚部６の下端面よりも下方に向けて長く形成されている。この構成により、脚本体部４が設置面１に自立する際、脚本体部４が設置面１に接触する前に、変形部２９が設置面１に接触して弾性変形し、脚本体部４が設置面１に接触すると、カバー本体部１１と設置面１との間で変形部２９が撓んだ状態となる。そのため、変形部２９によって適切に隙間が埋められる。したがって、設置面１との隙間が生じることを防いで隙間から異物が入り込むことを防止することができる。特に、設置面１に起伏がある場合であっても、変形部２９が弾性変形することによって、大きさが異なる隙間に対して柔軟に対応することができる。
【００３４】
本実施形態によれば、カバー本体部１１の周縁１３に取り付けられる取付部２１と変形部２９とからカバー部材２０が構成されている。すなわち、カバー部材２０は、取付部２１がカバー本体部１１の周縁１３に取り付けられ、着脱自在である。この構成により、カバー部材２０のみをカバー本体部１１から独立させて製造することができ、また、容易に交換することができる。
【００３５】
本実施形態によれば、カバー部材２０の変形部２９は、内側取付片２４に沿って下方に伸び、下方に向かうにしたがってカバー本体部１１の周面部１２の内側に向けて徐々に傾斜または湾曲している。この構成により、変形部２９を外側から視した場合に、変形部２９の下方側が視認し辛く、変形部２９が薄く扁平に見える。したがって、外観において変形部２９を目立たなくすることができ、優れた意匠を実現することができる。特に、変形部２９と外側取付片２３との連接箇所は、周面部１２の外側に向けて突出した段部３０が形成されている。したがって、外観において変形部を顕著に目立たなくすることができ、優れた意匠を実現することができる。
【００３６】
本実施形態によれば、カバー部材２０の変形部２９は、下方に向かうにしたがって厚みが徐々に薄く形成されている。この構成によれば、変形部２９と設置面１との接触面積が小さいため、長期間の経過による設置面１と変形部２９との圧着が最小限に抑えられる。したがって、圧着されることによる設置面１への影響を抑止することができる。
【００３７】
本実施形態によれば、脚本体部４は、基脚部６の高さを調整することで設置面１に対する昇降装置２の角度を変化させるアジャスタ構造が備えられている。すなわち、設置面１に起伏がある場合であっても、アジャスタ構造を作動させることで昇降装置２の角度が変化する。したがって、設置面１または水平面に対して垂直に昇降する向きに、昇降装置２の角度を調整することができる。
【００３８】
本実施形態によれば、通線孔３１が形成されている。この構成により、例えば昇降装置２の電源コード（図示省略）などが通線孔３１を介して通される。したがって、整線することができる。
【００３９】
なお、上記した実施形態の変形例として、カバー本体部１１の形状が、デザインに応じて周面部１２や周縁１３が多角形状であってもよい。また、例えばカバー本体部１１の全体が弾性樹脂で成形されたことによって、周縁１３に直接変形部２９が形成されていてもよい。また、変形部２９は複数の通線孔３１が形成されていてもよい。
【００４０】
以上、本発明の実施形態を詳述したが、本発明は上記実施形態に限定されるものではない。そして本発明は、特許請求の範囲に記載された事項を逸脱することがなければ、種々の設計変更を行うことが可能である。本発明は、理美容椅子や歯科治療用の椅子に限られず、様々な施術用の装置などに用いられる。
【符号の説明】
【００４１】
１                設置面
２                昇降装置
３                脚部
４                脚本体部
５                フレーム部材
６                基脚部
８                シリンダー
１０              カバー構造（昇降装置の脚部のカバー構造）
１１              カバー本体部
１２              周面部
１３              周縁
１４              斜面部
２０              カバー部材（昇降装置の脚部のカバー部材）
２１              取付部
２２              取付片
２３              外側取付片
２４              内側取付片
２５              溝部
２６              外側上端片
２７              切込み
２８              係止片
２９              変形部
３０              段部
３１              通線孔
【図１】
2018088947.tif 000003
【図２】
2018088947.tif 000004